(57)【要約】【課題】オプション装置を安定して支持すること。【解決手段】支持体３の上端面上に配置されるとともにオプション装置が取り付けられた基片５、および支持体３の上端部を間に挟み込むように基片５の下面にそれぞれ下方に向けて延設されるとともに上端部の側面にそれぞれ固定された一対の脚片６を有する取付部材７を備えているオプション取付構造１を提供する。【選択図】図３
2011062315.tif 000002
【特許請求の範囲】
【請求項１】
什器から上方に向けて延在する支持体の上端部にオプション装置を取り付けるオプション取付構造であって、
前記支持体の上端面上に配置されるとともに前記オプション装置が取り付けられた基片、および前記支持体の上端部を間に挟み込むように前記基片の下面にそれぞれ下方に向けて延設されるとともに前記上端部の側面にそれぞれ固定された一対の脚片を有する取付部材を備えていることを特徴とするオプション取付構造。
【請求項２】
請求項１記載のオプション取付構造において、
前記取付部材内には、上端が前記基片の上面に開口するとともに下端が前記脚片の下端面に開口する第１配線空間が形成されていることを特徴とするオプション取付構造。
【請求項３】
請求項２記載のオプション取付構造において、
前記第１配線空間は、全長にわたって前記脚片および前記基片それぞれにおける一方の側端面に開口していることを特徴とするオプション取付構造。
【請求項４】
請求項２又は３記載のオプション取付構造において、
前記基片の上面から上方に向けて延びるとともに前記オプション装置が取り付けられた中継支柱を備え、
前記中継支柱内には、上下方向に延び前記第１配線空間に連通する第２配線空間が形成されていることを特徴とするオプション取付構造。
【請求項５】
請求項２から４いずれか１項に記載のオプション取付構造において、
前記脚片の下端面から下方に向けて延びる配線ダクトを備え、
前記配線ダクト内には、上下方向に延び前記第１配線空間に連通する第３配線空間が形成されていることを特徴とするオプション取付構造。
【請求項６】
請求項１から５いずれか１項に記載のオプション取付構造において、
前記支持体の上端部の側面に形成され、開口周縁部に内側に向けて突出片が突設された取付溝と、
該取付溝内に配置された固定部材と、
前記脚片と前記固定部材との間に設けられ、前記脚片と前記固定部材とで前記突出片を挟持させる固定手段とを備えていることを特徴とするオプション取付構造。
【請求項７】
請求項６に記載のオプション取付構造において、
前記取付溝は、前記支持体の上端縁に沿って延び、
前記固定部材は、前記取付溝内での配置位置を変更可能に構成されていることを特徴とするオプション取付構造。
【発明の詳細な説明】
【技術分野】
【０００１】
本発明は、オフィス等の執務空間にて使用される什器から上方に向けて延在する支持体の上端部に、照明などのオプション装置を取り付けるオプション取付構造に関する。
【背景技術】
【０００２】
オフィス等の執務空間にて使用される什器においては、作業目的に応じて、例えば照明装置やディスプレイなど様々なオプション装置を什器の上方に取り付けることが望まれている。
そこで、例えば特許文献１に示されるような、什器（デスク等の家具）の後部から上方に向かって立設された左右一対の支柱、およびこれら一対の支柱間に架設されるとともに断面がほぼ四角形状の横杆を有する支持体に、オプション装置を取り付けるオプション取付構造が知られている。このオプション取付構造では、横杆の両側面（前後面）に横杆の長手方向に延びる係合溝が形成されており、オプション装置に設けられた係止片を横杆の一方の側面に形成された係合溝に係止させることで、オプション装置を横杆の一方の側面に取り付けることができるようになっている。
【先行技術文献】
【特許文献】
【０００３】
【特許文献１】特開２００５−２１３４０号公報
【発明の概要】
【発明が解決しようとする課題】
【０００４】
しかしながら、前記従来のオプション取付構造では、支持体（横杆）の一方の側面にオプション装置を取り付けることから、オプション装置の荷重を一方の側面にのみ受け止めさせるため、オプション装置を安定して支持することができないおそれがある。
【０００５】
本発明は、前述した事情に鑑みてなされたものであって、その目的は、オプション装置を安定して支持することができるオプション取付構造を提供することである。
【課題を解決するための手段】
【０００６】
前記課題を解決するために、本発明は以下の手段を提案している。
本発明に係るオプション取付構造は、什器から上方に向けて延在する支持体の上端部にオプション装置を取り付けるオプション取付構造であって、前記支持体の上端面上に配置されるとともに前記オプション装置が取り付けられた基片、および前記支持体の上端部を間に挟み込むように前記基片の下面にそれぞれ下方に向けて延設されるとともに前記上端部の側面にそれぞれ固定された一対の脚片を有する取付部材を備えていることを特徴とする。
【０００７】
この構成によれば、オプション装置が基片に取り付けられるとともに、一対の脚片がそれぞれ支持体の上端部の側面に固定されているので、基片に固定されたオプション装置の荷重を、支持体の上端部の両側面で受け止めさせることが可能になり、オプション装置を安定して支持することができる。
【０００８】
また、前記取付部材内には、上端が前記基片の上面に開口するとともに下端が前記脚片の下端面に開口する第１配線空間が形成されていても良い。
【０００９】
この構成によれば、取付部材内に第１配線空間が形成されているので、オプション装置の配線を第１配線空間に収容することで、配線が外部に露出されることがなく、体裁を良好に収めることができる。
【００１０】
また、前記第１配線空間は、全長にわたって前記脚片および前記基片それぞれにおける一方の側端面に開口していても良い。
【００１１】
この構成によれば、第１配線空間が、全長にわたって脚片および基片それぞれにおける一方の側端面に開口しているので、第１配線空間に配線を収容する際、一方の側端面側の開口を通して第１配線空間に配線を収容することが可能になり、配線収容の容易化を図ることができる。
【００１２】
また、前記基片の上面から上方に向けて延びるとともに前記オプション装置が取り付けられた中継支柱を備え、前記中継支柱内には、上下方向に延び前記第１配線空間に連通する第２配線空間が形成されていても良い。
【００１３】
この構成によれば、中継支柱内に、上下方向に延び第１配線空間に連通する第２配線空間が形成されているので、中継支柱に取り付けられたオプション装置の配線を第２配線空間および第１配線空間に収容することで、配線が外部に露出されることがない。したがって、オプション装置が中継支柱を介して支持体の上方に取り付けられた場合であっても、体裁を良好に収めることができる。
【００１４】
また、前記脚片の下端面から下方に向けて延びる配線ダクトを備え、前記配線ダクト内には、上下方向に延び前記第１配線空間に連通する第３配線空間が形成されていても良い。
【００１５】
この構成によれば、配線ダクト内に、上下方向に延び第１配線空間に連通する第３配線空間が形成されているので、オプション装置の配線を、第１配線空間および第３配線空間に収容することで、取付部材の下方においても配線が外部に露出されることがなく、体裁をより一層良好に収めることができる。
【００１６】
また、前記支持体の上端部の側面に形成され、開口周縁部に内側に向けて突出片が突設された取付溝と、該取付溝内に配置された固定部材と、前記脚片と前記固定部材との間に設けられ、前記脚片と前記固定部材とで前記突出片を挟持させる固定手段とを備えていても良い。
【００１７】
この構成によれば、固定手段によって脚片と固定部材とで突出片を挟持させることで、脚片を支持体の側面に強固に固定することができる。
【００１８】
また、前記取付溝は、前記支持体の上端縁に沿って延び、前記固定部材は、前記取付溝内での配置位置を変更可能に構成されていても良い。
【００１９】
この構成によれば、取付溝が、支持体の上端縁に沿って延び、固定部材が、取付溝内での配置位置を変更可能に構成されているので、取付溝内での固定部材の配置位置を変更することで、脚片が固定される側面の位置を支持体の上端縁に沿って変更することが可能になり、オプション装置の取付位置を支持体の上端縁に沿って変更することができる。
【発明の効果】
【００２０】
本発明に係るオプション取付構造によれば、オプション装置を安定して支持することができる。
【図面の簡単な説明】
【００２１】
【図１】本発明の一実施形態に係るオプション取付構造を採用したテーブル、支持壁および照明装置の全体斜視図である。
【図２】図１に示すオプション取付構造の要部の正面図である。
【図３】図１に示すオプション取付構造の要部の側面図である。
【図４】図１に示すオプション取付構造のねじ座の斜視図である。
【図５】図１に示すオプション取付構造の取付部材の斜視図である。
【図６】図２に示す断面矢視Ａ−Ａ図である。
【図７】図１に示すオプション取付構造において取付溝内にねじ座を配置する工程を説明する工程図である。
【発明を実施するための形態】
【００２２】
以下、図面を参照し、本発明の一実施形態に係るオプション取付構造を説明する。
図１に示すように、このオプション取付構造１は、テーブル（什器）２から上方に向けて延在する支持壁（支持体）３の上端部に照明装置（オプション装置）４を取り付けるものである。
図２および図３に示すように、オプション取付構造１は、支持壁３の上端面上に配置された基片５、および支持壁３の上端部を間に挟み込むように基片５の下面にそれぞれ下方に向けて延設された一対の脚片６を有する取付部材７と、支持壁３の上端部の側面３ａに形成された取付溝８と、該取付溝８内に配置されたねじ座（固定部材）９と、脚片６とねじ座９との間に設けられた取付ねじ（固定手段）１０と、基片５の上面から上方に向けて延びる中継支柱１１と、脚片６の下端面から下方に向けて延びる配線ダクト１２とを備えている。
【００２３】
図１に示すように、取付溝８は、支持壁３の上端縁に沿って、支持壁３の側面３ａの全長にわたって直線状に延びている。図３に示すように、取付溝８の開口周縁部８ａには、内側に向けて突出片１３、１４が突設されている。本実施形態では、上側の開口周縁部８ａには、下方に向けて延びる上突出片１３が突設されるとともに、下側の開口周縁部８ａには、上方に向けて延びる下突出片１４が突設されている。
【００２４】
図４に示すように、ねじ座９は、取付ねじ１０が螺着される主片１５と、主片１５の裏面の両側端に後方に向けて突設された一対の側片１６と、両側片１６に上方に向けて突設された一対の係合片１７とを備えている。係合片１７の後端面は、下方から上方に向かうに従い漸次前方に向かう上傾斜面１９とされ、側片１６の下端面は、下方から上方に向かうに従い漸次後方に向かう下傾斜面２０とされている。
【００２５】
そして図３に示すように、取付溝８内に配置されたねじ座９は、係合片１７が上突出片１３に内側から係合している。
ねじ座９には、主片１５の表面に開口する雌ねじ部２１が形成されている。ここで、主片１５の裏面において雌ねじ部２１と対応する位置には、裏面側へと突出する肉厚部１８が形成されている。そして雌ねじ部２１は、該肉厚部１８にも形成されることで取付ねじ１０の螺着に必要なねじ長を確保している。
【００２６】
図５に示すように、取付部材７は、基片５の下面の各側端縁に脚片６が設けられており、全体として側面視下向きコ字状に屈曲された一枚の板部材で形成されている。
図３に示すように、脚片６には、取付ねじ１０の軸部１０ｂが挿通されるねじ挿通用孔２２が形成されている。ここで、一対の脚片６の互いに向き合う内面と反対側となる外面には、取付ねじ１０の頭部１０ａが収容される収容凹部２２ａが形成されており、該収容凹部２２ａ内にねじ挿通用孔２２が形成されている。
そして取付ねじ１０は、頭部１０ａが収容凹部２２ａに収容されるとともに軸部１０ｂがねじ挿通用孔２２に挿通された状態で、ねじ座９の雌ねじ部２１に螺着され締め付けられている。これにより、脚片６とねじ座９との間隔が狭められ、脚片６とねじ座９の係合片１７とが上突出片１３を挟持し、支持壁３の上端部の側面３ａに取付部材７の脚片６が固定されている。
【００２７】
また取付部材７内には、上端が基片５の上面に開口するとともに下端が脚片６の下端面に開口する第１配線空間２３が形成されている。第１配線空間２３は、全長にわたって脚片６および基片５それぞれにおける一方の側端面７ａに開口する溝部であり、基片５の側端面７ａに形成された横溝部２４と、一対の脚片６の側端面７ａにそれぞれ形成され横溝部２４の各端縁に連なる一対の縦溝部２５とを備えている。横溝部２４は、略中央となる位置で、基片５の上面に開口する開口部２６を有している。
【００２８】
図１に示すように、中継支柱１１の上端部には、照明装置４が取り付けられており、取付部材７の基片５には、この中継支柱１１を介して照明装置４が取り付けられている。
図６に示すように、中継支柱１１には、上下方向Ｄに延び第１配線空間２３に連通する第２配線空間２７が形成されている。中継支柱１１は、上下方向Ｄに延びる支柱本体２８と、支柱本体２８に着脱可能に装着され、支柱本体２８との間に第２配線空間２７を形成する配線カバー２９とを備えている。
【００２９】
支柱本体２８は、断面視楕円形状をなしており、一方の側面には、上下方向Ｄの全長にわたって延びる配線溝３０が形成されている。そして、この配線溝３０内に、上下方向Ｄに延びるとともに断面視コ字状に形成された配線カバー２９が嵌合されており、配線溝３０および配線カバー２９の両内面の間に、支柱本体２８の下端面に開口する第２配線空間２７が形成されている。
【００３０】
支柱本体２８において第２配線空間２７と楕円形状断面の短径方向に隣り合う位置には、上下方向Ｄに沿って延びる挿入孔３２が形成されている。
また図２に示すように、支柱本体２８の下端部には、上下方向Ｄに沿って延びるねじ孔３１が形成されている。本実施形態では、ねじ孔３１は、第２配線空間２７を挟むようにして楕円形状断面の長径方向の両側端側に対をなして設けられている。
【００３１】
そして中継支柱１１は、基片５の上面に当接しており、該基片５に形成された貫通孔３３に下側から差し込まれた皿ボルト３４が支柱本体２８のねじ孔３１の雌ねじ３１ａに螺着されることによって基片５の上面に固定されている。なお、貫通孔３３において下側に位置する下側部分には、上方から下方に向かうに従い拡径し、皿ボルト３４の頭部３４ａが収容されるテーパー状の収容凹部３３ａが形成されている。
また基片５の上面には、中継支柱１１の挿入孔３２の下端部に挿入される挿入凸部３５が上方に向けて突設されている。
【００３２】
ここで脚片６の下端面は、両側端面７ａ側から中央に向かうに従い漸次下方に向かう凸曲面状をなしており、配線ダクト１２の上端面は、脚片６の下端面と全面にわたって当接する凹曲面状をなしている。また配線ダクト１２は、図示しないボルト等により支持壁３の側面３ａに固定されている。
図３に示すように、配線ダクト１２内には、上下方向Ｄに延び第１配線空間２３に連通する第３配線空間３６が形成されている。本実施形態では、第３配線空間３６は、配線ダクト１２の各側端面１２ａに開口する縦溝であり、配線ダクト１２の側端面１２ａの全長にわたって形成されるとともに配線ダクト１２の上端面に開口している。
【００３３】
そして本実施形態では、照明装置４から延びる配線３７は、中継支柱１１の第２配線空間２７、取付部材７の第１配線空間２３、および配線ダクト１２の第３配線空間３６を通って支持壁３の下部に向けて引き回されている。
【００３４】
次に、以上のように構成されたオプション取付構造１を採用して支持壁３に照明装置４を取り付ける方法について説明する。
はじめに、図７に示すように、取付溝８内にねじ座９を配置する。ここで本実施形態では、ねじ座９は、取付溝８内での配置位置を変更可能に構成され、さらに、取付溝８内にその開口部８ｂを通して着脱可能に構成されている。
【００３５】
詳しく説明すると、まず図７に示すように、ねじ座９を上下方向Ｄに対して傾け、係合片１７を取付溝８内にその開口部８ｂを通して挿入するとともに、主片１５の表面の上端縁１５ａを上突出片１３の下端に当接させる。次いで、ねじ座９が、主片１５の表面の上端縁１５ａと上突出片１３との当接部分を中心として取付溝８の内側（図示矢印方向）に回動するように、例えば主片１５の表面の下端部を外側から押し込む。
【００３６】
ここで、ねじ座９には、上傾斜面１９および下傾斜面２０が形成されているので、前述の回動時に、係合片１７が取付溝８の底面に引っ掛かったり、あるいは側片１６の下端部が下突出片１４に引っ掛かったりしてしまうのを抑制することができる。すなわち、上傾斜面１９は、主片１５の表面の上端縁１５ａとの距離が取付溝８の深さよりも小さくなるように、係合片１７が面取りされることで形成されたものである。また、下傾斜面２０は、主片１５の表面の上端縁１５ａとの距離が上突出片１３と下突出片１４との間の距離よりも小さくなるように、側片１６が面取りされることで形成されたものである。
【００３７】
そして、例えば側片１６の後端面が取付溝８の底面に当接するまでねじ座９を回動させることで、係合片１７が上突出片１３に内側から係合し、ねじ座９が取付溝８内に配置される。
なお、取付溝８内でのねじ座９の配置位置を変更する場合には、前記上端縁１５ａを中心としてねじ座９を取付溝８の外側に向けて回動させることで取付溝８からその開口部８ｂを通して離脱させ、その後、所望する配置位置に配置する。
【００３８】
次いで、基片５に中継支柱１１が取り付けられた取付部材７を支持壁３の上端部に配置し、この取付部材７の各脚片６を取付ねじ１０によってねじ座９（仕切壁３）に固定する。また、中継支柱１１に照明装置４を取り付ける。
そして、照明装置４の配線３７を、各配線空間２３、２７、３６に収容する。この際、支柱本体２８から配線カバー２９を離脱させた状態で、配線溝３０、第１配線空間２３、および第３配線空間３６の各開口側から配線３７を収容し、その後、配線カバー２９を支柱本体２８に装着させる。
【００３９】
以上説明したように、本実施形態に係るオプション取付構造１によれば、照明装置４が基片５に取り付けられるとともに、一対の脚片６がそれぞれ支持壁３の上端部の側面３ａに固定されているので、基片５に固定された照明装置４の荷重を、支持壁３の上端部の両側面３ａで受け止めさせることが可能になり、照明装置４を安定して支持することができる。
【００４０】
また、取付部材７内に第１配線空間２３が形成されているので、照明装置４の配線３７を第１配線空間２３に収容することで、配線３７が外部に露出されることがなく、体裁を良好に収めることができる。
さらに、配線ダクト１２内に、上下方向Ｄに延び第１配線空間２３に連通する第３配線空間３６が形成されているので、照明装置４の配線３７を、第１配線空間２３および第３配線空間３６に収容することで、取付部材７の下方においても配線３７が外部に露出されることがなく、体裁をより一層良好に収めることができる。
さらにまた、中継支柱１１内に、上下方向Ｄに延び第１配線空間２３に連通する第２配線空間２７が形成されているので、中継支柱１１に取り付けられた照明装置４の配線３７を第２配線空間２７および第１配線空間２３に収容することで、配線３７が外部に露出されることがない。したがって、照明装置４が中継支柱１１を介して支持壁３の上方に取り付けられた場合であっても、体裁を良好に収めることができる。
【００４１】
また、第１配線空間２３が、全長にわたって脚片６および基片５それぞれにおける一方の側端面７ａに開口しているので、第１配線空間２３に配線３７を収容する際、一方の側端面７ａ側の開口を通して第１配線空間２３に配線３７を収容することが可能になり、配線収容の容易化を図ることができる。
さらに本実施形態では、第２配線空間２７が、配線溝３０および配線カバー２９の両内面の間に形成されるとともに、第３配線空間３６が、全長にわたって配線ダクト１２の一方の側端面１２ａに開口しているので、中継支柱１１から配線カバー２９を離脱させた状態で、配線溝３０、第１配線空間２３、および第３配線空間３６の各開口側から配線３７を収容することで、配線収容のより一層の容易化を図ることができる。
【００４２】
また、取付ねじ１０によって脚片６とねじ座９とで上突出片１３を挟持させることで、脚片６を支持壁３の側面３ａに強固に固定することができる。
さらに、取付溝８が、支持壁３の上端縁に沿って延び、ねじ座９が、取付溝８内での配置位置を変更可能に構成されているので、取付溝８内でのねじ座９の配置位置を変更することで、脚片６が固定される側面３ａの位置を支持壁３の上端縁に沿って変更することが可能になり、照明装置４の取付位置を支持壁３の上端縁に沿って変更することができる。
さらにまた、ねじ座９が、取付溝８内にその開口部８ｂを通して着脱可能に構成されていることから、取付溝８の開口部８ｂを通してねじ座９を取付溝８に着脱することで、取付溝８内でのねじ座９の配置位置を容易に変更することが可能になり、照明装置４の取付位置を容易に変更することができる。
【００４３】
なお、本発明の技術的範囲は前記実施形態に限定されるものではなく、本発明の趣旨を逸脱しない範囲において種々の変更を加えることが可能である。
例えば、第１配線空間２３は、一方の側端面７ａに開口しているものとしたが、開口していなくても良い。
また、前記実施形態では、第１配線空間２３は、取付部材７の各側端面７ａに形成されているものとしたが、第１配線空間２３の形成位置および数などは、これに限られるものではない。さらに、第１配線空間２３は形成されていなくても良い。
【００４４】
また、前記実施形態では、照明装置４は、中継支柱１１を介して支持壁３に取り付けられるものとしたが、中継支柱１１はなくても良い。
また、前記実施形態では、オプション取付構造１は、配線ダクト１２を備えているものとしたが、配線ダクト１２はなくても良い。
【００４５】
また、前記実施形態では、ねじ座９は、取付溝８内にその開口部８ｂを通して着脱可能に構成されることで、取付溝８内でのねじ座９の配置位置を変更可能としたが、これに限られるものではない。例えば、取付溝８内をスライド移動させることで、ねじ座９の配置位置を変更しても良い。
さらに、前記実施形態では、取付溝８内でのねじ座９の配置位置を変更可能としたが、配置位置は変更できなくても良い。
【００４６】
また、脚片６が支持壁３の側面３ａに固定されれば、取付溝８、ねじ座９および取付ねじ１０はなくても良い。例えば、支持壁３の側面３ａに、その上端縁に沿って間隔をあけて雌ねじ部が形成され、この雌ねじ部に取付ねじ１０を螺着させることで脚片６を取り付けても良い。また、取付ねじ１０とは異なる固定手段によって脚片６を支持壁３の側面３ａに固定しても良い。
【００４７】
また、前記実施形態では、支持壁３に取り付けるオプション装置として照明装置４を採用した場合を説明したが、これに限られるものではなく、例えばディスプレイなどを採用することも可能である。
さらに、前記実施形態では、支持体として支持壁３を採用した場合を説明したが、これに限られるものではなく、例えば支柱などを採用することも可能である。
さらにまた、前記実施形態では、什器としてテーブル２を採用するものとしたが、テーブル２以外の什器も採用することも可能である。
【００４８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４９】
１  オプション取付構造
２  テーブル（什器）
３  支持壁（支持体）
３ａ  支持壁の側面
４  照明装置（オプション装置）
５  基片
６  脚片
７  取付部材
７ａ  取付部材の側端面
８  取付溝
８ａ  取付溝の開口周縁部
８ｂ  取付溝の開口部
９  ねじ座（固定部材）
１０  取付ねじ（固定手段）
１１  中継支柱
１２  ダクト
１３  上突出片（突出片）
１４  下突出片（突出片）
２３  第１配線空間
２７  第２配線空間
３６  第３配線空間
Ｄ  上下方向
【図１】
2011062315.tif 000003
【図２】
2011062315.tif 000004
【図３】
2011062315.tif 000005
【図４】
2011062315.tif 000006
【図５】
2011062315.tif 000007
【図６】
2011062315.tif 000008
【図７】
2011062315.tif 000009